(57)【要約】【課題】反転用の切替爪の駆動機構や制御シーケンスを不要とすることにより、簡素化および経済性を図ること。【解決手段】原稿１の第一画像面を読み取り側にして読取部１０に搬送して当該画像面を読み取った後に、原稿１の第二画像面に反転させて読取部１０に搬送して読み取る原稿読取装置であって、反転ローラ１２と正逆転可能な排紙ローラ１６により原稿１を搬送させる搬送経路位置に原稿１の搬送力で反転時の切替動作をする切替爪１４を備える。【選択図】        図１
2006298613.tif 000002
【特許請求の範囲】
【請求項１】
原稿の第一画像面を読み取り側にして画像読取位置に搬送して当該画像面を読み取った後に、前記原稿の第二画像面に反転させて前記画像読取位置に搬送して読み取る原稿読取装置であって、
反転ローラと正逆転可能な排紙ローラにより前記原稿を搬送させる搬送経路位置に前記原稿の搬送力で反転時の切替動作をする切替爪を備えることを特徴とする原稿読取装置。
【請求項２】
前記切替爪は、前記原稿の読み取り時に制御手段を介さずに動作することを特徴とする請求項１に記載の原稿読取装置。
【請求項３】
前記反転ローラと前記排紙ローラの間に前記原稿の先端を検知する検知手段を配置し、前記検知手段の検知信号をもとに、前記反転ローラの回転／停止を行い、かつ前記原稿の排紙タイミングを検知することを特徴とする請求項１に記載の原稿読取装置。
【請求項４】
前記切替爪は、各原稿サイズ幅に合わせて複数個が支軸に配置されていることを特徴とする請求項１に記載の原稿読取装置。
【請求項５】
前記切替爪は、前記支軸に対してそれぞれ独立して回動することを特徴とする請求項４に記載の原稿読取装置。
【請求項６】
前記切替爪は、前記支軸に対して低摩擦係数の材質で形成されることを特徴とする請求項４に記載の原稿読取装置。
【発明の詳細な説明】
【技術分野】
【０００１】
本発明は、複写機、ファクシミリ装置、スキャナーなどに利用可能で、特に、両面原稿を自動搬送して両面の画像を読み取る原稿読取装置に関するものである。
【背景技術】
【０００２】
従来、両面原稿を自動搬送し表面と裏面とを順に読み取る自動原稿搬送装置を有する画像読取装置では、一般的に原稿を反転させる反転経路に切替爪を配置し、この切替爪を、原稿の搬送タイミングを検知し、当該検知信号をもとに所定のタイミングでソレノイドなどの駆動手段で作動させている（たとえば、特許文献１参照）。すなわち、原稿（用紙）を反転する搬送経路に反転用の切替爪を回転軸に配列して固定して設け、この軸端にレバー状の部材を取り付け、さらにこの部材に、電圧印加で作動するソレノイドのプランジャーを取り付け、他方に戻し用のスプリングを取り付けた駆動機構によって切替爪を所定のタイミングで作動させている。
【０００３】
【特許文献１】特開平１０−２１３０３９号公報
【発明の開示】
【発明が解決しようとする課題】
【０００４】
しかしながら、上記に示されるような従来の自動原稿搬送装置を有する画像読取装置にあっては、切替爪を回動させるためのソレノイドなどの駆動機構が必要であるため、機構が複雑になるとともに、切替タイミングを制御する必要があるため、シーケンスも複雑になってしまうといった問題点があった。
【０００５】
本発明は、上記に鑑みてなされたものであって、反転用の切替爪の駆動機構や制御シーケンスを不要とすることにより、簡素化および経済性を図ることを目的とする。
【課題を解決するための手段】
【０００６】
上述した課題を解決し、目的を達成するために、請求項１にかかる発明は、原稿の第一画像面を読み取り側にして画像読取位置に搬送して当該画像面を読み取った後に、前記原稿の第二画像面に反転させて前記画像読取位置に搬送して読み取る原稿読取装置であって、反転ローラと正逆転可能な排紙ローラにより前記原稿を搬送させる搬送経路位置に前記原稿の搬送力で反転時の切替動作をする切替爪を備えることを特徴とする。
【０００７】
この請求項１の発明によれば、反転ローラと正逆転可能な排紙ローラにより原稿を搬送させる搬送経路位置に原稿の搬送力で反転時の切替動作をする切替爪を設けることで、従来のような切替爪の駆動機構が不要になる。
【０００８】
また、請求項２にかかる発明は、前記切替爪は、前記原稿の読み取り時に制御手段を介さずに動作することを特徴とする。
【０００９】
この請求項２の発明によれば、請求項１において、原稿の読み取り時に制御手段によらずに切替爪を動作させることにより、制御シーケンス（プログラム）が不要になる。
【００１０】
また、請求項３にかかる発明は、前記反転ローラと前記排紙ローラの間に前記原稿の先端を検知する検知手段を配置し、前記検知手段の検知信号をもとに、前記反転ローラの回転／停止を行い、かつ前記原稿の排紙タイミングを検知することを特徴とする。
【００１１】
この請求項３の発明によれば、請求項１において、検知手段の検知信号をもとに、反転ローラの回転／停止を行い、かつ原稿の排紙タイミングを検知することで、一つのセンサで反転ローラの回転／停止動作と排紙検知を行うことが可能になる。
【００１２】
また、請求項４にかかる発明は、前記切替爪は、各原稿サイズ幅に合わせて複数個が支軸に配置されていることを特徴とする。
【００１３】
この請求項４の発明によれば、請求項１において、各原稿サイズ幅に合わせて切替爪を複数個支軸に配列することにより、所定の原稿サイズを搬送し反転する際に、搬送性を確保することが可能になる。
【００１４】
また、請求項５にかかる発明は、前記切替爪は、前記支軸に対してそれぞれ独立して回動することを特徴とする。
【００１５】
この請求項５の発明によれば、請求項４において、切替爪を支軸に対してそれぞれ独立して回動させることにより、その原稿サイズのみの搬送力で切替爪を動作させることが可能になる。
【００１６】
また、請求項６にかかる発明は、前記切替爪は、前記支軸に対して低摩擦係数の材質で形成されることを特徴とする。
【００１７】
この請求項６の発明によれば、請求項４において、切替爪を支軸に対して低摩擦係数の材質で形成することにより、小さな搬送力で切替爪を動作させることが可能になる。
【発明の効果】
【００１８】
本発明（請求項１）にかかる原稿読取装置は、反転ローラと正逆転可能な排紙ローラにより原稿を搬送させる搬送経路位置に原稿の搬送力で反転時の切替動作をする切替爪を設けることで、従来のような切替爪の駆動機構が不要になるため、機構の簡素化され低コストの装置を提供することができるという効果を奏する。
【００１９】
また、本発明（請求項２）にかかる原稿読取装置は、請求項１において、原稿の読み取り時に制御手段によらずに切替爪を動作させることにより、制御シーケンス（プログラム）が不要になるため、簡単な機構でのみ切替動作を行うことができるという効果を奏する。
【００２０】
また、本発明（請求項３）にかかる原稿読取装置は、請求項１において、検知手段の検知信号をもとに、反転ローラの回転／停止を行い、かつ原稿の排紙タイミングを検知することで、一つのセンサで反転ローラの回転／停止動作と排紙検知を行うことが可能になるため、部品コストを低減することができるという効果を奏する。
【００２１】
また、本発明（請求項４）にかかる原稿読取装置は、請求項１において、各原稿サイズ幅に合わせて切替爪を複数個支軸に配列することにより、所定の原稿サイズを搬送し反転する際に、搬送性を確保することが可能になるため、切替爪での引っかかりや搬送ジャムの発生を防止することができるという効果を奏する。
【００２２】
また、本発明（請求項５）にかかる原稿読取装置は、請求項４において、切替爪を支軸に対してそれぞれ独立して回動させることにより、その原稿サイズのみの搬送力で切替爪を動作させることが可能になるため、原稿サイズにあわせてスムーズに上方向に持ち上げることができるという効果を奏する。
【００２３】
また、本発明（請求項６）にかかる原稿読取装置は、請求項４において、切替爪を支軸に対して低摩擦係数の材質で形成することにより、切替爪が軸に対して滑らかに回動するため、小さな搬送力で切替爪を動作させることができるという効果を奏する。
【発明を実施するための最良の形態】
【００２４】
以下に添付図面を参照して、この発明にかかる原稿読取装置の最良な実施の形態を詳細に説明する。
【００２５】
（実施の形態）
本発明は、自動原稿搬送装置（ＡＤＦ）を有する原稿読取装置であって、第一画像面と第二画像面とを有した両面原稿を自動搬送しそれぞれの画像面を読み取るものであり、読み取り過程における原稿面の反転経路を切り替える際に、切替爪を駆動手段や制御手段を設けることなくフリー状態で配置することで反転切り替えを実現する装置を提供するものである。なお、この原稿読取装置は、一般的に知られている複写機、スキャナー、ファクシミリ装置、電子ファイリング装置など両面原稿画像を自動搬送して読み取る装置に適用される。以下、具体的に説明する。
【００２６】
図１は、本発明の実施の形態にかかる原稿読取装置の構成を示す説明図である。この図において、符号１は読み取り対象の原稿、符号２は原稿１をセットするための原稿テーブル、符号３は原稿１を規制する給紙ガイド板、符号４は呼出し部材５に対して所定のタイミングで接触／離間する底板、符号５は原稿１を原稿テーブル２から繰り出すための呼び出し部材、符号６は呼び出し部材５によって呼び出された原稿１を給紙する給紙部材、符号７は給紙部材６によって給紙された原稿１を１枚ずつ分離するための高摩擦部材でなる分離部材、符号８は１枚ずつ分離されて送られてきた原稿１を読取部に搬送するプルアウトローラ、符号８ａはプルアウトローラ８に対向し付勢されるプルアウト従動ローラである。
【００２７】
また、符号９は原稿１を所定の搬送タイミング（読取タイミング）で行うために原稿１の先端を検知するレジストセンサ、符号１０は原稿１を光学的に読み取る読取部、符号１１は読み取り後の原稿１を搬送する補助ローラ、符号１２は両面の原稿読み取り時に原稿１を反転するための反転ローラ、符号１２ａは反転ローラ１２に対向し付勢される反転従動ローラ、符号１３は原稿１の排紙タイミングを検知する排紙センサ、符号１４は後述するような特徴を有する原稿１の搬送経路を切り替える切替爪、符号１５は原稿１が排紙される排紙部、符号１６は原稿１を排紙部１５に排紙する正逆転可能な排紙ローラ、符号１６ａは排紙ローラ１６に対向し付勢される排紙従動ローラである。
【００２８】
ここで、レジストセンサ９や排紙センサ１３は、反射型のフォトインタラプタ（ＬＥＤ発光素子と受光素子からなる）あるいは搬送路に原稿１の有無によって作動するフィラーとこのフィラーの動きを検知するフォトインタラプタなどで構成される。また、呼出し部材５、給紙部材６、分離部材７および排紙ローラ１６は図示しない給紙モータによって駆動されるようになっており、呼出し部材５および給紙部材６は図示しない給紙クラッチ（たとえばディスク型の電磁クラッチあるいはソレノイドによるメカクラッチ）により給紙モータによる駆動系と接続され、給紙モータからの駆動力の伝達を所定のタイミングでＯＮ／ＯＦＦする。また、プルアウトローラ８、補助ローラ１１、反転ローラ１２は図示しない反転モータにより駆動されるようになっている。
【００２９】
上述した切替爪１４の構成を図６および図７に示す。図６に示すように、複数の切替爪１４を軸２０に対して原稿サイズに対応した位置に設けている。すなわち、原稿１のコーナーを切替爪１４にオーバーラップするように配置し、原稿１の引っかかりによる紙詰まりを防止するように構成し、搬送性を確保する。さらに、この切替爪１４は、図７に示すように、軸２０に対して自在に動くように、たとえばＥリング２１などの汎用部材によって横方向の位置決めがなされる。このとき、切替爪１４の中心穴１４ａは、軸２０の外径寸法に対して切替爪１４自体が動きやすいようなはめあい寸法および表面粗さで設計されている。また、この切替爪１４は、たとえばポリアセタール樹脂のように摺動性に優れた材質、すなわち低摩擦係数を有する材質で作製（成形）し、軸２０に遊嵌された場合に中心穴１４ａ部分で自在に動きやすくなるように考慮されている。
【００３０】
つぎに、以上のように構成された原稿読取装置の動作について説明する。原稿テーブル２上に第一画像面を上向きにして積み重ねられた原稿１は、図示しない本体からの読取開始信号により最上位の原稿１から一枚（多数枚でも可）が呼出し部材５によって給紙部材６に繰り出される。このとき、原稿１の先端は、給紙ガイド板３の左側内側面に突き当たることにより位置決めされる。また、底板４は図示しない呼出しソレノイドにより上下動され、本体からの給紙開始により支軸を中心に矢印Ａ方向に回動され、その上昇した端部を呼出し部材５に当接させ、下から原稿束を呼出し部材５に押圧する。
【００３１】
押圧された原稿束は呼出し部材５によって給紙部材６および分離部材７を有する分離部へ搬送され、最上位の原稿１から一枚ずつ分離される。分離部へ搬送された原稿１は、プルアウトローラ８およびプルアウト従動ローラ８ａとを有する第一搬送経路に搬送される。レジストセンサ９が原稿１の先端を検知すると、呼出し部材５は停止され、上昇した底板４は下降する。底板４が下降すると、原稿１に加わる底板４と呼出し部材５との間の圧力は開放され、搬送中の原稿１の第二画像面が次原稿の第一画像面に擦りつけられる時間が短縮される。なお、上昇した底板４は、給紙開始から一定時間に下降させるようにしてもよい。この場合、この一定時間は原稿同士の擦れによる汚れや搬送負荷などを考慮し極力短く設定するのが好ましい。
【００３２】
レジストセンサ９が原稿１の先端を検知することにより、読取部１０へ原稿先端通過と画像読み取り開始とのタイミングを合わせる。給紙を開始し、原稿１の搬送後一定時間経過してもレジストセンサ９が原稿１の先端を検知しない場合は、ジャム（搬送経路での紙詰まり、あるいは不送り）が発生したと判断される。
【００３３】
ところで、原稿１の第一画像面のみを読み取る場合（以下、片面読みという）、あるいは原稿１の第一画像面および第二画像面を読み取る場合（以下、両面読みという）であるかはユーザが操作部（不図示）から選択し設定する。
【００３４】
まず、片面読みの場合の動作について説明する。原稿１は読取部１０で画像が読み取られた後、補助ローラ１１、補助従動ローラ１１ａ、排紙ローラ１６、排紙従動ローラ１６ａとを有する第二搬送経路を通り排紙部１５に排出される。このとき、原稿１の先端が排紙センサ１３によって検知される。ここで一定時間経過しても排紙センサ１３が原稿１を検知しない場合、ジャム（搬送経路での紙詰まり）が発生したと判断する。
【００３５】
つぎに、両面読みの動作について図２〜図６を参照し説明する。図２において、原稿１は、第一画像面が読取部１０で読み取られた後、第二搬送経路を通り切替爪１４を搬送力でＢ方向に押し上げる。この切替爪１４は、図６、図７に示すように構成され、軸２０を中心としてそれぞれ独立に回動するようになっており、原稿１の先端が当接した切替爪１４のみがＢ方向に押し上げられる。切替爪１４は、重心のバランスは先端の方がわずかに重くなっており、装置に取り付けられた状態では、先端側が下がっている状態になっているが、原稿１の搬送力で上方に押し上げられる。
【００３６】
図３に示すように、原稿１の通過を排紙センサ１３が検知し一定時間経過した後、原稿１が切替爪１４を抜けたとき、切替爪１４は元の位置に復帰し、排紙ローラ１６を逆回転させることにより、図４に示すように原稿１の先端は第三搬送経路を経て反転ローラ１２と反転従動ローラ１２ａとのニップ部分に搬送される。このとき、反転ローラ１２は停止しており、原稿１を所定量を過分送りしてニップ部分に送りこむ。すなわち、原稿１の斜め搬送をニップ部分に突き当てることでスキュー補正を行う。この突き当てによるスキュー補正が行われた後、原稿１は第四搬送経路および第一搬送経路を通り、第二画像面の画像が読取部１０で読み取られる。
【００３７】
原稿１は、第二画像面の読み取り後、第二搬送経路を経てこのまま排出されると、第二画像面が下向きで排紙部１５上で積み重なり、ページ順序に狂いが生じる。このため、図２〜図４までの同じ動作で原稿１を搬送した後、図５に示すように排紙ローラ１６が正回転（図における時計回り）のまま原稿１を排紙部１５に排出することにより、第二画像面が上向きになるようにしている。
【００３８】
したがって、以上説明してきたこの実施の形態の原稿読取装置によれば、両面原稿を反転する場合に、従来のように搬送センサからの信号にもとづいたソレノイドのＯＮ／ＯＦＦで駆動制御することなく、フリーで配置され、原稿１の反転を行う切替爪１４の動作を原稿１の搬送力で行うことにより、反転用の駆動系や制御系が不要になり、きわめて簡単な構成の反転機構が実現し、また、構成部品が少なくかつ組立てが簡単であるので、低コスト化が実現する。
【産業上の利用可能性】
【００３９】
以上のように、本発明にかかる原稿読取装置は、複写機、ファクシミリ装置、電子ファイリング装置、スキャナーなどに有用であり、特に、画像を両面に有する原稿束を自動で読み取る装置や紙束を一枚ずつ給紙しその表面と裏面とに反転させる装置などに適している。
【図面の簡単な説明】
【００４０】
【図１】本発明の実施の形態にかかる原稿読取装置の構成を示す説明図である。
【図２】本発明の実施の形態にかかる原稿読取装置における第一画像面読み取り後の原稿の反転爪部分への進入状態を示す説明図である。
【図３】図２の動作後において原稿が反転爪部分を抜けた状態を示す説明図である。
【図４】図３の動作後において原稿が反転ローラのニップ部分に突き当たる状態を示す説明図である。
【図５】原稿の第二画像面（裏面）を読み取った後の原稿の排紙状態を示す説明図である。
【図６】本発明の実施の形態にかかる切替爪の構成例および原稿サイズとの関係を示す説明図である。
【図７】本発明の実施の形態にかかる切替爪の構成例を示す説明図である。
【符号の説明】
【００４１】
１  原稿
２  原稿テーブル
５  呼出し部材
６  給紙部材
７  分離部材
８  プルアウトローラ
９  レジストセンサ
１０  読取部
１１  補助ローラ
１２  反転ローラ
１３  排紙センサ
１４  切替爪
１４ａ  穴
１５  排紙部
１６  排紙ローラ
２０  軸
【図１】
2006298613.tif 000003
【図２】
2006298613.tif 000004
【図３】
2006298613.tif 000005
【図４】
2006298613.tif 000006
【図５】
2006298613.tif 000007
【図６】
2006298613.tif 000008
【図７】
2006298613.tif 000009